(57)【特許請求の範囲】
【請求項１】
遊技盤に平行な方向の開口幅が複数の遊技球を受け入れ可能な寸法とされた開口部と、
前記開口部内の領域に設けられ、遊技球を１個ずつ受け入れ可能な寸法とされた入賞口と、
前記開口部内の領域に入った遊技球を前記入賞口以外の領域へと通過させる通過位置、及び前記開口部内の領域に入った遊技球を前記入賞口へと誘導する誘導位置へ変位可能な第一可動部と、
前記入賞口への入球を阻止する阻止位置、及び前記入賞口へ入球を許容する許容位置へ変位可能で、前記第一可動部が前記通過位置へ変位するのに連動して前記阻止位置へ変位する一方、前記第一可動部が前記誘導位置へ変位するのに連動して前記許容位置へ変位する第二可動部と、
前記入賞口へ入った遊技球の通過を検出するセンサと
を備え、
前記第二可動部及び前記センサは、前記第二可動部を前記阻止位置へと変位させた後に前記センサによって検出されることになる遊技球の数が１個以下となる程度まで近接させた位置に配設されている
ことを特徴とする弾球遊技機の入賞装置。
【請求項２】
前記第一可動部は、前記通過位置へ変位すると、前記領域の下部に空隙を形成して、当該空隙を介して遊技球を前記入賞口以外の領域へと通過させる一方、前記誘導位置へ変位すると、前記空隙を閉鎖して、前記入賞口に向かって下り勾配となる傾斜が付与された上面側に載った遊技球を前記入賞口へと誘導する
ことを特徴とする請求項１に記載の弾球遊技機の入賞装置。
【請求項３】
前記第一可動部及び前記第二可動部は、単一のアクチュエータによって駆動される
ことを特徴とする請求項１又は請求項２に記載の弾球遊技機の入賞装置。
【請求項４】
前記第一可動部及び前記第二可動部は、別体の部品として形成されるとともに、それぞれに対して前記単一のアクチュエータからの動力が伝達される
ことを特徴とする請求項３に記載の弾球遊技機の入賞装置。
【発明の詳細な説明】
【技術分野】
【０００１】
本発明は、弾球遊技機の入賞装置に関する。
【背景技術】
【０００２】
従来、ぱちんこ遊技機等の弾球遊技機に設けられる入賞装置の一つとして、アタッカーと呼ばれるタイプの入賞装置が知られている。このタイプの入賞装置は、大入賞口と呼ばれる入賞口を備え、所定の条件が成立すると（例えば別途設けられる始動入賞口へ入球すると）、入賞装置が作動して大入賞口が開放された状態になり、これにより、著しく入賞が容易な状態になる。大入賞口へ入賞した遊技球の数はセンサによって計数され、センサで計数された遊技球の数が所定数（例えば１０個。）に達すると、入賞装置が作動を停止して大入賞口は閉鎖される。
【０００３】
ところで、このような入賞装置では、センサで計数された遊技球の数が所定数に達したところで大入賞口が閉鎖されるものの、その時点でいくつかの遊技球が既に大入賞口内へ入ってしまっていることがある。この場合、上記所定数を超える遊技球が入賞することになり、その分だけ払い出される賞球の数も増えることになる。そのため、想定以上に過大な数の遊技球が入賞することになれば、遊技場側としては採算が合わなくなるおそれがある。
【０００４】
一方、上記のような入賞装置であっても、大入賞口付近にある遊技くぎ等を調節するなどの対策により、大入賞口へ入球しにくくすることはできるので、このような対策を施せば、入賞する遊技球の数を抑制し、払い出される賞球の数を抑制することはできる。しかし、このような対策では、大入賞口へ入賞する遊技球の数が過小になってしまい、遊技機の人気が低下してしまうなどの問題を招く。
【０００５】
つまり、大入賞口へ入賞する遊技球の数は過大になっても過小になっても問題があり、想定通りの適正な数だけ入賞することが重要である。こうした背景のもと、適正な数の遊技球を入賞装置内へ受け入れるための技術としては、所定数を超えて入球した遊技球を装置外部に排出する排出手段が設けられた入賞装置が提案されている（例えば、特許文献１参照。）。
【０００６】
下記特許文献１に記載の技術では、同文献の段落［００５４］に示されているように、Ｖ・カウントセンサ（１０２）又はカウントセンサ（１０４）を通過した遊技球の数で大入賞口（３９）への入賞をカウントしている。これらのセンサのうち、Ｖ・カウントセンサ（１０２）の配設位置は明示されていないが、少なくともカウントセンサ（１０４）については、同文献の［図２］に明示されているように、大入賞口（３９）への入口部分に設けられたシャッタ（４０）の近傍に配置されている。
【０００７】
そして、この配設位置での計数結果が所定数を上回ったときに、カウントセンサ（１０４）よりも下方にある振分ゲート（８０）が開状態（特許文献１の［図２］に実線で示された状態）から閉状態（同図に破線で示された状態）に切り替えられて、多すぎる遊技球は放出される仕組みになっている。
【先行技術文献】
【特許文献】
【０００８】
【特許文献１】特開２００５−１１８４９０号公報
【発明の概要】
【発明が解決しようとする課題】
【０００９】
しかし、上記特許文献１に記載の技術では、第一の問題として、所定の上限数（例えば１０個）よりも多くの遊技球がシャッタ（４０）内へ入った場合、そのような遊技球は振分ゲート（８０）によって排出されるものの、排出される遊技球もカウントセンサ（１０４）でカウントされるため、結局、カウントセンサ（１０４）では上限よりも多い入賞球数がカウントされてしまう、という問題がある。
【００１０】
すなわち、振分ゲート（８０）によって遊技球を排出することで、実際には振分ゲート（８０）内へ過大な数の遊技球を受け入れないようにしているとしても、入賞球数をカウントセンサ（１０４）でカウントしている以上、入賞球数としては想定以上に過大な球数がカウントされていることになり、それに応じて賞球の払い出しを行うのであれば、遊技場側の採算が合わなくなるという問題は何ら解決しないことになる。
【００１１】
このような第一の問題そのものについては、例えば、振分ゲート（８０）による振り分けが行われた後となる位置に、カウントセンサ（１０４）とは別のセンサを追加すれば、その別のセンサで振分ゲート（８０）内へ受け入れた遊技球をカウントすることが可能となるので、これにより、一応は第一の問題を解決することができる。しかし、このような解決策では、第二の問題として、追加分のセンサが必要になるので、その分だけ装置が複雑化するとともにコスト増になるという問題を招く。
【００１２】
また、第三の問題として、カウントセンサ（１０４）で上限数（例えば１０個）の遊技球をカウントした時点で、振分ゲート（８０）が閉状態（同図に破線で示された状態）に切り替えられると、そのタイミングによっては、カウントセンサ（１０４）では８〜１０個目としてカウントされたものの、まだ振分ゲート（８０）には到達していない、という状況にある遊技球が、振分ゲート（８０）によって排出されてしまう、という問題もある。
【００１３】
この場合、カウントセンサ（１０４）で入賞球数をカウントしているのであれば、上限数（例えば１０個）をカウントしたにもかかわらず、実際には８〜１０個目の遊技球を入賞装置内へと回収しないことになり、遊技機としては不適正な挙動となる。また、上述のような「カウントセンサ（１０４）とは別のセンサ」を追加している場合、８〜１０個目の遊技球がカウントされないので、入賞球数が上限数（例えば１０個）に達していないにもかかわらず、遊技球の受け入れを中止したことになり、これも遊技機としては不適正な挙動となる。
【００１４】
つまり、上記第三の問題は、カウントセンサ（１０４）で入賞球数をカウントしても、上述の別のセンサで入賞球数をカウントしても、適切に解消することができない問題であり、このような問題が発生する入賞装置では実用化が困難である。
【００１５】
本発明は、上記問題を解決するためになされたものであり、その目的は、入賞する遊技球の数を適正化することが容易な弾球遊技機の入賞装置を提供することにある。
【課題を解決するための手段】
【００１６】
以下、本発明において採用した構成について説明する。
本発明の弾球遊技機の入賞装置は、遊技盤に平行な方向の開口幅が複数の遊技球を受け入れ可能な寸法とされた開口部と、前記開口部内の領域に設けられ、遊技球を１個ずつ受け入れ可能な寸法とされた入賞口と、前記開口部内の領域に入った遊技球を前記入賞口以外の領域へと通過させる通過位置、及び前記開口部内の領域に入った遊技球を前記入賞口へと誘導する誘導位置へ変位可能な第一可動部と、前記入賞口への入球を阻止する阻止位置、及び前記入賞口へ入球を許容する許容位置へ変位可能で、前記第一可動部が前記通過位置へ変位するのに連動して前記阻止位置へ変位する一方、前記第一可動部が前記誘導位置へ変位するのに連動して前記許容位置へ変位する第二可動部と、前記入賞口へ入った遊技球の通過を検出するセンサとを備え、前記第二可動部及び前記センサは、前記第二可動部を前記阻止位置へと変位させた後に前記センサによって検出されることになる遊技球の数が１個以下となる程度まで近接させた位置に配設されていることを特徴とする。
【００１７】
このように構成された弾球遊技機の入賞装置は、遊技機の稼働時に所定の条件が成立するまでは、第一可動部を通過位置に変位させ、かつ、第二可動部を阻止位置に変位させた状態とされる。また、所定の条件が成立したときには、第一可動部を誘導位置に変位させ、かつ、第二可動部を許容位置に変位させた状態とされる。
【００１８】
第一可動部が通過位置に変位し、かつ、第二可動部が阻止位置に変位している場合、第一可動部は遊技球を入賞口へと誘導することなく、入賞口以外の領域へと通過させる。また、仮に入賞口へ入りそうな遊技球が存在したとしても、第二可動部が入賞口への入球を阻止する。この状態においては、開口部に遊技球が入っても、その数が直ちにセンサで計数されることはない。
【００１９】
つまり、遊技球が開口部内に入っても、それだけではまだ入賞するか否かが確定していない遊技球として扱われていることになる。したがって、このような遊技球を入賞口以外の領域へと通過させても、入賞した遊技球としてカウントされたものを通過させているわけではないので、この点で上記特許文献１に記載の技術とは相違する。
【００２０】
一方、第一可動部が誘導位置に変位し、かつ、第二可動部が許容位置に変位している場合、第一可動部は遊技球を入賞口へと誘導し、第二可動部は入賞口への入球を許容する。この状態においては、開口部に入った遊技球が順次入賞口へと誘導される状態になる。
【００２１】
開口部は遊技盤に平行な方向の開口幅が複数の遊技球を受け入れ可能な寸法とされているので、開口部は大入賞口と同等な役割を果たす状態になり、複数の遊技球がまとめて開口部に入るような状態にもなる。ただし、開口部内の領域に設けられた入賞口は、遊技球を１個ずつ受け入れ可能な寸法とされているので、過大な数の遊技球がまとめて入賞口へ入ってしまうことはない。
【００２２】
このような状況下、入賞口へ所定数の遊技球が入ったことをセンサで検出したら、第一可動部を通過位置に変位させるとともに、第二可動部を阻止位置に変位させることにより、それ以上の入賞口への入球を停止させることができる。
【００２３】
このとき、第二可動部とセンサとの位置関係によっては、いくつかの遊技球が余分に入賞口へ入る可能性もあるが、入賞口そのものは１個ずつしか入らない寸法とされているので、余分に入賞する遊技球の数が過大にならないように設計することは容易である。すなわち、多数の遊技球がほぼ同時に入賞口に飛び込むといったことにはならないので、どれほど多くの遊技球が入賞してしまうことになるのかが不定となることはなく、この点で大入賞口そのものを開閉する技術とは相違する。
【００２４】
また、第二可動部によって入賞口への入球を阻止された遊技球は、第一可動部が通過位置へと変位するのに伴って、開口部内の領域の外へと放出されることになるが、上述の通り、ここで放出されることになる遊技球は、センサで計数済みの遊技球ではない。したがって、このような遊技球を開口部内の領域の外へ放出しても、入賞した遊技球としてカウントされたものを通過させているわけではないので、この点で上記特許文献１に記載の技術とは相違する。
【００２５】
したがって、このような入賞装置であれば、入賞する遊技球の数を容易に適正化することができ、入賞数が過大になったり過小になったりするのを防止ないし抑制することができる。また、上記特許文献１に記載の技術とは異なり、入賞した遊技球としてカウントしたにもかかわらず、その遊技球を放出してしまうこともなく、入賞した遊技球を適正に回収することができる。
【００２６】
特に、本発明の弾球遊技機の入賞装置の場合、前記第二可動部及び前記センサは、前記第二可動部を前記阻止位置へと変位させた後に前記センサによって検出されることになる遊技球の数が１個以下となる程度まで近接させた位置に配設されている。
【００２７】
したがって、二球以上の遊技球が余分に入賞してしまうのを防止できるので、過大な数の遊技球が入賞するのを防ぐ上で、実用上十分な効果を得ることができる。
【００２８】
また、本発明の弾球遊技機の入賞装置において、前記第一可動部は、前記通過位置へ変位すると、前記領域の下部に空隙を形成して、当該空隙を介して遊技球を前記入賞口以外の領域へと通過させる一方、前記誘導位置へ変位すると、前記空隙を閉鎖して、前記入賞口に向かって下り勾配となる傾斜が付与された上面側に載った遊技球を前記入賞口へと誘導することが好ましい。
【００２９】
このような弾球遊技機の入賞装置であれば、第一可動部を誘導位置へ変位させた際には、第一可動部の上面側に付与された傾斜を利用して、遊技球を自重で入賞口へ誘導することができる。また、第一可動部を通過位置へ変位させた際には、遊技球を空隙へと落下させて入賞口以外の領域へと放出することができる。
【００３０】
また、本発明の弾球遊技機の入賞装置において、前記第一可動部及び前記第二可動部は、単一のアクチュエータによって駆動されることが好ましい。
このような弾球遊技機の入賞装置であれば、単一のアクチュエータ（例えばソレノイド）で第一可動部及び第二可動部の双方を作動させることができるので、それぞれを作動させるために専用のアクチュエータを個別に設けなくても済み、装置の大型化を抑制し、部品点数の削減を図ることができる。
【００３１】
また、本発明の弾球遊技機の入賞装置において、前記第一可動部及び前記第二可動部は、別体の部品として形成されるとともに、それぞれに対して前記単一のアクチュエータからの動力が伝達されることが好ましい。
【００３２】
このような弾球遊技機の入賞装置であれば、第一可動部及び第二可動部が別体の部品として形成されるので、各可動部の形状や動作態様をそれぞれの役割に応じて最適化することができ、各可動部を設計する上で自由度の高い設計を行うことができる。
【図面の簡単な説明】
【００３３】
【図１】第一実施形態として例示する弾球遊技機の入賞装置を示す図であり、（ａ）は平面図、（ｂ）は正面図、（ｃ）は右側面図。
【図２】第一実施形態として例示する弾球遊技機の入賞装置を示す図であり、（ａ）右上前方から見た斜視図、（ｂ）は第一可動部が通過位置へ変位したときの各部の状態を透視して示す斜視図、（ｃ）は第一可動部が誘導位置へ変位したときの各部の状態を透視して示す斜視図。
【図３】第一実施形態として例示する弾球遊技機の入賞装置において、第一可動部が通過位置へ変位したときの各部の状態を透視して示す図であり、（ａ）は平面図、（ｂ）は正面図、（ｃ）は右側面図。
【図４】第一実施形態として例示する弾球遊技機の入賞装置において、第一可動部が誘導位置へ変位したときの各部の状態を透視して示す図であり、（ａ）は平面図、（ｂ）は正面図、（ｃ）は右側面図。
【図５】第二実施形態として例示する弾球遊技機の入賞装置において、第一可動部が通過位置へ変位したときの各部の状態を透視して示す図であり、（ａ）は平面図、（ｂ）は正面図、（ｃ）は右側面図。
【図６】第二実施形態として例示する弾球遊技機の入賞装置において、第一可動部が誘導位置へ変位したときの各部の状態を透視して示す図であり、（ａ）は平面図、（ｂ）は正面図、（ｃ）は右側面図。
【発明を実施するための形態】
【００３４】
次に、本発明の実施形態について、いくつかの具体的な例を挙げて説明する。
［第一実施形態］
まず、第一実施形態について説明する。第一実施形態として例示する入賞装置１は、図１（ａ）〜図１（ｃ）に示すように、背面が遊技盤の正面に接触する位置に配置された状態で遊技盤に対して固定される取付板１Ａと、取付板１Ａよりも正面側にある本体前部１Ｂと、取付板１Ａよりも背面側にある本体後部１Ｃとを備えている。
【００３５】
本体前部１Ｂの上部には、複数の遊技球を受け入れ可能な寸法とされた開口部３が設けられている。この開口部３内の領域には、上下方向に貫通する内部空間５が形成されている。内部空間５の左方には、図２（ａ）に示すように、遊技球を一球ずつ受け入れ可能な寸法とされた入賞口７が設けられている。
【００３６】
また、入賞装置１の内部には、図２（ｂ）及び図２（ｃ）に示すように、第一可動部１１、及び第二可動部１２が設けられている。また、入賞口７内で第二可動部１２の左方となる位置には、遊技球の通過を検出可能なセンサ１３が設けられている。
【００３７】
第一可動部１１は、入賞装置１の正面側に向かって前進する方向、及び入賞装置１の背面側に向かって後退する方向へスライド可能な状態で支持されている。この第一可動部１１は、後退時には図２（ｂ）に示す位置（以下、この位置を通過位置とも称する。）へと変位する一方、前進時には図２（ｃ）に示す位置（以下、この位置を誘導位置とも称する。）へと変位する。
【００３８】
第二可動部１２は、入賞口７の入口付近において回動可能に支持されている。この第二可動部１２は、その先端部が上昇する方向へ回動した時には図２（ｂ）に示す位置（以下、この位置を阻止位置とも称する。）へと変位する一方、先端部が下降する方向へ回動した時には図２（ｃ）に示す位置（以下、この位置を許容位置とも称する。）へと変位する。
【００３９】
これら第一可動部１１及び第二可動部１２を作動させるため、入賞装置１の内部には、ソレノイド１５と、ソレノイド１５に駆動されて上下方向にスライドするスライド部材１７と、スライド部材１７から受ける力で回動する回動部材１９が設けられている。
【００４０】
ソレノイド１５が励磁されていない場合、スライド部材１７はソレノイド１５のプランジャとともに下降する。一方、ソレノイド１５が励磁された場合、スライド部材１７はソレノイド１５のプランジャとともに上昇する。
【００４１】
スライド部材１７は、第一アーム１７Ａと第二アーム１７Ｂを備え、第一アーム１７Ａが回動部材１９の一部に遊嵌するとともに、第二アーム１７Ｂが第二可動部１２の一部に遊嵌している。これにより、スライド部材１７が上下動すると、それに連動して回動部材１９及び第二可動部１２はそれぞれが回動する。また、回動部材１９は、その先端部が第一可動部１１の一部に遊嵌している。これにより、回動部材１９が回動すると、それに連動して第一可動部１１が前後方向にスライドする。
【００４２】
すなわち、これらスライド部材１７及び回動部材１９により、単一のソレノイド１５から第一可動部１１及び第二可動部１２の双方へ動力を伝達する動力伝達経路が構成され、これにより、第一可動部１１及び第二可動部１２が連動するようになっている。
【００４３】
遊技機の稼働時に所定の条件が成立していなければ、ソレノイド１５への電力供給は行われず、ソレノイド１５は励磁されていない状態が維持される。ソレノイド１５が励磁されていない場合、図３（ａ）〜図３（ｃ）に示すように、第一可動部１１は通過位置へと後退する。この状態では、開口部３に遊技球が入っても、遊技球は開口部３内の領域（内部空間５）を通過して入賞装置１の下方へと落下する。また、第二可動部１２は、図３（ａ）に示すように、阻止位置へと変位して入賞口７への入球を阻止する状態になる。
【００４４】
一方、遊技機の稼働時に所定の条件が成立すれば、ソレノイド１５へ電力が供給され、ソレノイド１５は励磁される。ソレノイド１５が励磁された場合、図４（ａ）〜図４（ｃ）に示すように、第一可動部１１は誘導位置へと前進する。この状態では、第一可動部１１が内部空間５の下端側を閉鎖するため、開口部３に遊技球が入ると、遊技球は第一可動部１１の上面に受け止められることになる。
【００４５】
第一可動部１１の上面には、図４（ｂ）に示すように、装置左方から右方に向かって下り勾配となる傾斜（本実施形態では水平に対して１０度の傾きをなす傾斜）が付与されているため、遊技球は傾斜面を左下方へと転がり落ちる。その結果、遊技球は入賞口７へと誘導されることになる。また、このとき、第二可動部１２は、図４（ａ）に示すように、許容位置へと変位しているため、入賞口７への入球が許容される。
【００４６】
入賞口７へ入球した場合、その遊技球は第二可動部１２の近傍に配置されたセンサ１３によって検出され、センサ１３からの検出信号に基づいて入賞数が計数される。そして、センサ１３を通過した遊技球は、図４（ａ）に示すように、入賞装置１内に設けられたガイド部２１に沿って進行方向が背面方向へと曲げられ、入賞装置１の背面側にある通出口２３から機外へと放出されることになる。
【００４７】
さて、センサ１３で計数される入賞数が所定数に達した場合など、上述の所定の条件が成立しない状態に至った場合には、ソレノイド１５への電力供給は停止され、ソレノイド１５は励磁されていない状態に戻る。これにより、第一可動部１１は誘導位置から通過位置へと後退し、第二可動部１２は許容位置から阻止位置へと回動する。
【００４８】
第二可動部１２が阻止位置へと回動する際、たまたま第二可動部１２付近に遊技球が存在すれば、その遊技球が入賞口７へ入球することはある。ただし、本実施形態において、第二可動部１２とセンサ１３は、遊技球１個分前後の間隔を空けて配設されている。そのため、第二可動部１２が阻止位置へと回動したにもかかわらず、その後にセンサ１３で計数されることになる遊技球の数は、多くても１個程度に抑制される。
【００４９】
したがって、想定以上に多数の遊技球が入ってしまう余地がある従来技術とは異なり、過大な数の遊技球が入賞してしまうおそれはなく、入賞する遊技球の数を容易に適正化することができ、入賞数が過大になったり過小になったりするのを防止ないし抑制し、入賞数の誤差範囲を想定内の範囲に抑制することができる。
【００５０】
また、センサ１３で入賞が検出された遊技球は、すべて入賞球として通出口２３から機外へと放出される。しかも、第二可動部１２が阻止位置へと回動した際、開口部３内の領域（内部空間５）に貯まっていた遊技球は、第一可動部１１が通過位置へと後退するのに伴って入賞装置１の下方へと放出されるが、そのような遊技球はセンサ１３での計数対象とはなっていない。
【００５１】
したがって、上述の特許文献１に記載の技術とは異なり、入賞数のカウント対象とされたにもかかわらず、入賞球として回収されることなく遊技に再利用されてしまう遊技球は発生しないので、入賞した遊技球を遊技機内で適正に扱うことができる。
【００５２】
［第二実施形態］
次に、第二実施形態について説明する。なお、第二実施形態においても、その作用・効果は第一実施形態と同様なので、第二実施形態では構造上の相違点を中心に詳述し、第一実施形態と同様な事項については、簡略な説明をするだけにとどめる。
【００５３】
第二実施形態として例示する入賞装置３０は、図５（ａ）〜図５（ｃ）及び図６（ａ）〜図６（ｃ）に示すように、第一実施形態において別体の部品としてあった第一可動部及び第二可動部が、一体の部品として構成されている点に特徴がある。
【００５４】
より具体的には、入賞装置３０において、第一可動部３１と第二可動部３２は、一体成形された単一部品によって構成され、この単一部品が回動可能に支持された構造になっている。すなわち、第二可動部３２が回動可能な点は、第一実施形態と同様であるが、第一可動部３１も回動可能に構成されている点で、第一可動部１１が前後方向にスライド可能に構成されていた第一実施形態とは相違する。
【００５５】
つまり、本発明でいう第一可動部は、同等な機能を実現できるのであれば、スライド式であっても回動式であってもよく、さらには、他の動作方式であってもよい。これは本発明でいう第二可動部についても同様であり、同等な機能を実現できるのであれば、本発明でいう第二可動部は、回動式であってもよいし、他の動作方式であってもよい。
【００５６】
図５（ａ）〜図５（ｃ）は、第一可動部３１が通過位置へ変位するとともに、第二可動部３２が阻止位置へ変位した状態を示している。この状態では、開口部３５内へと入った遊技球は、傾斜面３６で受け止められて、傾斜面３６上を左下方へと転がり落ちるが、傾斜面３６の左端に達したところで下方へと転落する。
【００５７】
一方、図６（ａ）〜図６（ｃ）は、第一可動部３１が誘導位置へ変位するとともに、第二可動部３２が許容位置へ変位した状態を示している。この状態でも、開口部３５内へと入った遊技球は、傾斜面３６で受け止められて、傾斜面３６上を左下方へと転がり落ちるが、傾斜面３６の左端に達したところで、更に第一可動部３１の上面を左下方へと転がり落ちる。その結果、遊技球は入賞口３７へと誘導されることになる。また、このとき、第二可動部３２は、図４（ａ）に示すように、許容位置へと変位しているため、入賞口３７への入球が許容される。なお、入賞口７へ入球した場合に、その遊技球がセンサ４３によって検出される点、センサ４３を通過した遊技球が機外へと放出される点などは、第一実施形態と同様である。
【００５８】
傾斜面３６は、第一実施形態において誘導位置へ変位した第一可動部１１と同様に、遊技球を入賞口３７へと誘導する役割を担っている。換言すれば、第二実施形態における第一可動部３１は、傾斜面３６と協働して遊技球を入賞口３７へと誘導する。つまり、入賞口へ遊技球を誘導する部分は、第一実施形態のように全体が第一可動部１１となっていてもよいし、第二実施形態のように一部が第一可動部３１となっていて残りの部分が可動部ではない部分（傾斜面３６をなす部分）となっていてもよい。なお、第二実施形態において、第一可動部３１及び傾斜面３６をなす部分を含む全体が、第一可動部３１のように回動する構造になっていてもよい。
【００５９】
以上のような入賞装置３０でも、第一実施形態と同様に、入賞する遊技球の数を適正化することができ、特に、入賞数のカウント対象とされたにもかかわらず、入賞球として回収されることなく遊技に再利用されてしまう遊技球は発生しないので、入賞した遊技球を遊技機内で適正に扱うことができる。
【００６０】
［その他の実施形態］
以上、本発明の実施形態について説明したが、本発明は上記の具体的な一実施形態に限定されず、この他にも種々の形態で実施することができる。
【００６１】
例えば、上記実施形態においては、第二可動部１２とセンサ１３は、遊技球１個分前後の間隔を空けて配設されていたが、より厳密に入賞数を管理したい場合には、間隔を更に狭めてもよいし、そこまで厳密に入賞数を管理しなくてもよいなら、遊技球２個分以上の間隔を空けてもよい。
【００６２】
例えば、遊技球２個分前後の間隔を空ければ、第二可動部１２が阻止位置へと回動したにもかかわらず、その後にセンサ１３で計数されることになる遊技球の数は２個程度となる可能性があるが、これでも多数の遊技球が飛び込み得る大入賞口そのものを開閉する技術に比べれば、想定外に入賞球が増えるのを抑制することができる。
【００６３】
換言すれば、どこまで厳密に入賞数を管理するかは遊技場の採算も考慮して適宜設定すれば良いことであり、そのような設定が可能となるのも本発明でいう入賞口が遊技球を１個ずつ受け入れ可能な寸法とされていて、その入賞口の入口部分で第二可動部が入球を許容ないし阻止する構造とされているからである。このような設定は、多数の遊技球が飛び込み得る大入賞口そのものを開閉する技術では実現することが困難である。
【００６４】
なお、本発明の入賞装置は、様々な弾球遊技機に装着可能であり、代表的な弾球遊技機の一つであるぱちんこ遊技機はもちろんのこと、アレンジボール遊技機やその他の弾球遊技機に装着してもかまわない。
【符号の説明】
【００６５】
１，３０・・・入賞装置、１Ａ・・・取付板、１Ｂ・・・本体前部、１Ｃ・・・本体後部、３・・・開口部、５・・・内部空間、７，３７・・・入賞口、１１，３１・・・第一可動部、１２，３２・・・第二可動部、１３，４３・・・センサ、１５・・・ソレノイド、１７・・・スライド部材、１７Ａ・・・第一アーム、１７Ｂ・・・第二アーム、１９・・・回動部材、２１・・・ガイド部、２３・・・通出口、３６・・・傾斜面。
【要約】
【課題】入賞する遊技球の数を適正化することが容易な弾球遊技機の入賞装置を提供すること。
【解決手段】入賞装置１は、複数の遊技球を受け入れ可能な寸法とされた開口部３と、開口部３内の領域である内部空間５に設けられ、遊技球を１個ずつ受け入れ可能な寸法とされた入賞口７と、内部空間５に入った遊技球を内部空間５の外へと通過させる通過位置、及び内部空間５に入った遊技球を入賞口７へと誘導する誘導位置へ変位可能な第一可動部１１と、入賞口７への入球を阻止する阻止位置、及び入賞口７へ入球を許容する許容位置へ変位可能で、第一可動部１１が通過位置へ変位するのに連動して阻止位置へ変位する一方、第一可動部１１が誘導位置へ変位するのに連動して許容位置へ変位する第二可動部１２と、入賞口７へ入った遊技球の通過を検出するセンサ１３とを備える。
【選択図】図２【図１】
0005453502.tif 000002
【図２】
0005453502.tif 000003
【図３】
0005453502.tif 000004
【図４】
0005453502.tif 000005
【図５】
0005453502.tif 000006
【図６】
0005453502.tif 000007